(57)【要約】【課題】ワイヤ部に捩れを生ずることがなく昇降部を埋込枠に確実に納めることができる照明装置を提供する。【解決手段】照明装置１０は、下面を開口してなる凹部を有する埋込枠１１と、埋込枠１１に収納されるとともに非円盤形の外郭を有する昇降部１２と、昇降部１２に取り付けられる光源１３と、昇降部１２を吊り下げるワイヤ部１４と、ワイヤ部１４を昇降自在に送るリフタ部１５と、を有し、太さの異なる複数の筒状体２６を入れ子式に重ねあわされてなる伸縮自在の支柱を有し、支柱１６は、埋込枠１１側に一端を固定するとともに、その内部または外部にワイヤ部１４を昇降自在に配置した。【選択図】図１
2010003452.tif 000002
【特許請求の範囲】
【請求項１】
下面を開口してなる凹部を有する埋込枠と、
前記埋込枠に収納されるとともに非円盤形の外郭を有する昇降部と、
前記昇降部に取り付けられる光源と、
前記昇降部を吊り下げるワイヤ部と、
前記ワイヤ部を昇降自在に送るリフタ部と、
を有する照明装置であって、
太さの異なる複数の筒状体を入れ子式に重ねあわされてなる伸縮自在の支柱を有し、当該支柱は、前記埋込枠側に一端を固定するとともに、その内部または外部に前記ワイヤ部を昇降自在に配置することを特徴とする照明装置。
【請求項２】
前記支柱は、伸びた状態で前記筒状体の各々が、その内周面の一部を他の筒状体の外周面に近接されることを特徴とする請求項１記載の照明装置。
【請求項３】
前記筒状体は、多角形の角筒または円形の円筒であることを特徴とする請求項１または２記載の照明装置。
【発明の詳細な説明】
【技術分野】
【０００１】
本発明は、例えばコンサートホールや体育館、コンベンションホール等の構造物の天井に取り付けられてワイヤによって光源を内蔵した昇降部を昇降自在な照明装置に関する。
【背景技術】
【０００２】
従来の照明装置の一例として、構造物の天井に固定されて２本の吊材を介して昇降部を昇降させる固定部を有して昇降部を昇降させる照明装置が知られている（例えば、特許文献１参照）。
【特許文献１】特開２００２−１０４７８１号公報（図２、請求項１）
【発明の開示】
【発明が解決しようとする課題】
【０００３】
上記特許文献１に開示された照明装置では、昇降部の昇降時にワイヤやベルトからなる吊材の捩れを防止するために、昇降部のハウジングに昇降部回転防止用突起を設けている。しかし、ワイヤの捩れを確実に解消できるとはいい難い。
また、昇降部の揺れを防止するためには、吊材の数を増やしたり、吊材のピッチを広く取ったりすることで、ある程度の揺れを防止することはできるものの、吊材の数の増加に伴って、風の影響や昇降部のバランス等により、かえって吊具に捩れを生じてしまうことがある。吊材に捩れを生ずると、吊材に大きなストレスがかかり、それによって吊材が破損したり、昇降部が天井側の埋込枠に確実に納まらなくなったりする虞がある。
【０００４】
本発明は、前述した要望を満たすためになされたもので、その目的は、ワイヤ部に捩れを生ずることがなく昇降部を埋込枠に確実に納めることができる照明装置を提供することにある。
【課題を解決するための手段】
【０００５】
本発明に係る照明装置は、下面を開口してなる凹部を有する埋込枠と、前記埋込枠に収納されるとともに非円盤形の外郭を有する昇降部と、前記昇降部に取り付けられる光源と、前記昇降部を吊り下げるワイヤ部と、前記ワイヤ部を昇降自在に送るリフタ部と、を有する照明装置であって、太さの異なる複数の筒状体を入れ子式に重ねあわされてなる伸縮自在の支柱を有し、当該支柱は、前記埋込枠側に一端を固定するとともに、その内部または外部に前記ワイヤ部を昇降自在に配置することを特徴とする。
【０００６】
太さの異なる複数の筒状体を入れ子式に重ねあわされてなる伸縮自在の支柱の一端を埋込枠側に固定し、その内部または外部にワイヤ部を昇降自在に配置した。
よって、埋込枠に昇降部を収納する際に、支柱によってワイヤ部の捩れを抑制するので昇降部を埋込枠に確実に収納することができる。
【０００７】
また、本発明に係る照明装置は、前記支柱は、伸びた状態で前記筒状体の各々が、その内周面の一部を他の筒状体の外周面に近接されることを特徴とする。
【０００８】
支柱を構成する筒状体の各々が内周面の一部に他の筒状体の外周面を近接させることで、伸びた状態で支柱の剛性を高くすることができるために、ワイヤ部の捩れを、より一層抑制することができる。
【０００９】
また、本発明に係る照明装置は、前記筒状体は、多角形の角筒または円形の円筒であることを特徴とする。
【００１０】
支柱の筒状体を多角形の角筒にすれば、外周面と内周面との接触を角部分で強固に行えるために剛性の向上を、より一層高くすることができる。また、支柱の筒状体を円形の円筒にすれば、応力集中を少なくして応力を分散できるために、剛性の向上を高くすることができる。
【発明の効果】
【００１１】
本発明の照明装置によれば、下面を開口してなる凹部を有する埋込枠と、埋込枠に収納されるとともに非円盤形の外郭を有する昇降部と、昇降部に取り付けられる光源と、昇降部を吊り下げるワイヤ部と、ワイヤ部を昇降自在に送るリフタ部と、を有し、太さの異なる複数の筒状体を入れ子式に重ねあわされてなる伸縮自在の支柱を有し、支柱は、埋込枠に一端を固定するとともに、その内部または外部にワイヤ部を昇降自在に配置した。
これにより、ワイヤ部に捩れを生ずることがなく昇降部を埋込枠に確実に納めることができるという効果を有する。
【発明を実施するための最良の形態】
【００１２】
以下、本発明の複数の実施形態に係る照明装置について、図面を参照して説明する。
【００１３】
（第１実施形態）
図１に示すように、本発明の第１実施形態である照明装置１０は、下面を開口してなる凹部を有する埋込枠１１と、埋込枠１１に収納されるとともに非円盤形の外郭を有する昇降部１２と、昇降部１２に取り付けられる光源１３と、昇降部１２を吊り下げるワイヤ部１４と、ワイヤ部１４を昇降自在に送るリフタ部１５と、埋込枠１１に一端を固定するとともに内部にワイヤ部１４を昇降自在に配置した支柱１６と、を有する。
【００１４】
埋込枠１１は、４個の枠部材１７を四角形の枠形状に組み立てており、枠部材１７の上部に櫓状にリフタ載置台１８を形成している。枠部材１７は内側に矩形の凹部であって昇降部１２の外形よりも大きい相似形状の昇降部収納部１９を形成している。
【００１５】
埋込枠１１は、リフタ載置台１８に締結部材２０をねじ固定することにより、枠部材１７の下端面を躯体７０の天井板７１に形成された照明器具取付孔７２と同一面を形成するように天井板７１に取り付けられている。
【００１６】
昇降部１２は、四角形の外形の昇降部ハウジング２１を有し、その上端部にワイヤ連結部２２を有する。昇降部１２は昇降部ハウジング２１内にＬＥＤ（発光ダイオード（Ｌｉｇｈｔ  Ｅｍｉｔｔｉｎｇ  Ｄｉｏｄｅ））や蛍光ランプ等の光源１３を取り付けている。光源１３は、昇降部１２の下方に向けて光を照射する。
【００１７】
光源１３は、昇降部１２から引き出される不図示の電線を通じて通電経路を常時形成されている。
【００１８】
ワイヤ部１４は、剛性を有する金属製や樹脂製のワイヤやベルトであって巻回可能な帯状に形成されており、その上端部をリフタ部１５内に連結し、その下端部を昇降部１２のワイヤ連結部２２に連結している。ワイヤ部１４は支柱１６内に組み込まれている。ワイヤ部１４は支柱１６内に配置されるために、塵埃等が付着することなく保護される。
【００１９】
リフタ部１５は、オートリフタであって、リフタ部ハウジング２３を有し、リフタ部ハウジング２３を埋込枠１１のリフタ載置台１８に固定している。リフタ部１５は、リフタ部ハウジング２３内に、不図示の減速機構を内蔵した巻き取りモータ２４と、巻き取りモータ２４の減速機構に結合された巻き取りドラム２５と、を有する。
【００２０】
巻き取りドラム２５はワイヤ部１４の上端部を係止している。そのため、巻き取りモータ２４に正方向に通電されることで巻き取りドラム２５を正方向に回転させてワイヤ部１４を巻き取る。これとは異なり、巻き取りモータ２４に逆方向に通電されることで巻き取りドラム２５を逆方向に回転させてワイヤ部１４を送り出す。
【００２１】
支柱１６は、太さの異なる複数の筒状体２６を入れ子式に重ねあわされてなる。支柱１６は、その上端部の上部固定部２７を埋込枠１１のリフタ載置台１８の下面に固定しており、その下端部の下部固定部２８を昇降部１２の昇降部ハウジング２１の上面においてワイヤ連結部２２の外側に配置された支柱固定部２９に固定している。支柱１６は、その上部固定部２７をリフタ部１５の下面に固定しても良い。
【００２２】
図２に示すように、支柱１６の筒状体２６のそれぞれは、上方から下方に行くにしたがって一方の筒状体２６の内周面の一部に他の筒状体２６の外周面を近接させるように外径および内径を順次小さくした断面視四角形の筒形状に形成されている。
【００２３】
図３に示すように、支柱１６の筒状体２６は、それぞれの上端部の外周に上端係合部３０を形成し、それぞれの下端部の内周に下端係合部３１を形成している。
【００２４】
支柱１６は、昇降部１２が埋込枠１１から離れる下方に向けて降下すると昇降部１２の降下量に応じて連続する上端係合部３０と下端係合部３１とが係合しながら伸びていき、これとは異なり、昇降部１２が埋込枠１１に近づく上方に向けて上昇すると昇降部１２の上昇量に応じて縮むことで伸縮自在になっている。
【００２５】
図４に示すように、支柱１６の変形例では、上方から下方に行くにしたがって外径および内径を順次小さくした断面視円形の筒形状の筒状体３２を適用している。
【００２６】
このような照明装置１０は、コンサートホールや体育館、コンベンションホール等の躯体７０の天井板７１に埋込枠１１を固定し、通常使用時に昇降部１２を昇降部収納部１９に収納している。そして昇降部１２内の光源１３に通電することで照明を行う。このとき、巻き取りドラム２５はワイヤ部１４を巻き取り終わっており、支柱１６は縮んでいる。
【００２７】
昇降部１２を降下させる際に、リフタ部１５の巻き取りモータ２４に逆方向に通電することで巻き取りドラム２５を逆方向に回転させてワイヤ部１４を送り出す。そのため、昇降部１２は自重で降下を始める。このとき、支柱１６は昇降部１２の降下に伴って伸びていく。
【００２８】
昇降部１２が所定の位置まで降下したところで巻き取りモータ２４への通電を停止して昇降部１２は停止する。
【００２９】
これに反して、昇降部１２を上昇させる場合は、リフタ部１５の巻き取りモータ２４に正方向に通電することで巻き取りドラム２５を正方向に回転させてワイヤ部１４を巻き取り始める。巻き取りドラム２５によってワイヤ部１４は巻き取られていき、埋込枠１１の昇降部収納部１９に昇降部１２を収納していく。
【００３０】
このとき、支柱１６は、その上部固定部２７を埋込枠１１に固定し、その下部固定部２８を昇降部１２に固定しているために、風の影響や昇降部のバランス等によって昇降部１２に回転力（回動力）が与えられたとしても昇降部１２を回転（回動）させない。そのため、ワイヤ部１４に捩れを生ずることなく、昇降部１２は埋込枠１１の昇降部収納部１９に確実に収納される。
【００３１】
本実施形態では、上部固定部２７を埋込枠１１に固定し、下部固定部２８を昇降部１２に固定した支柱１６を、太さの異なる複数の筒状体２６，３２を入れ子式に重ねあわせて伸縮自在にして内部にワイヤ部１４を収納した。
よって、埋込枠１１に昇降部１２を収納する際に、支柱１６によってワイヤ部１４の捩れを抑制するので昇降部１２を埋込枠１１に確実に収納することができる。
【００３２】
また、支柱１６を、伸びた状態で筒状体２６，３２の各々が、その内周面の一部を他の筒状体の外周面に近接させた。
よって、支柱１６は、伸びた状態で剛性を高くすることができるために、ワイヤ部１４の捩れを確実に抑制することができる。
【００３３】
また、支柱１６の筒状体２６を多角形の角筒にした。
よって、外周面と内周面との接触を角部分で強固に行えるために剛性の向上を図ることができる。
【００３４】
また、支柱１６の筒状体３２を円形の角筒にした。
よって、応力集中を少なくして応力を分散できるために、剛性の向上を図ることができる。
【００３５】
（第２実施形態）
次に、図５を参照して本発明の第２実施形態に係る照明装置について説明する。なお、以下の各実施形態において、上述した第１実施形態と重複する構成要素や機能的に同様な構成要素については、図中に同一符号あるいは相当符号を付することによって説明を簡略化あるいは省略する。
【００３６】
図５に示すように、本発明の第２実施形態である照明装置４０は、支柱１６の下端部を昇降部１２に固定せずに分離し、支柱１６の外側に一対のワイヤ部４１，４２を配置した。
【００３７】
そのため、一対のワイヤ部４１，４２を巻き取るための一対の巻き取りドラム４３，４４をリフタ部ハウジング２３内に収容している。
【００３８】
本実施形態では、支柱１６の下端部を昇降部１２に固定せずに分離し、ワイヤ部４１，４２を支柱１６の外側に配置した。
よって、ワイヤ部４１，４２のメンテナンスを独立して行うことができる。
【００３９】
（第３実施形態）
図６に示すように、本発明の第３実施形態である照明装置５０は、支柱１６の下端部を昇降部１２に固定せずに分離し、ワイヤ部１４を支柱１６内に収納した。
【００４０】
照明装置５０は、昇降部１２を降下させた際に、支柱１６が昇降部１２の降下に伴って伸びていき、昇降部１２は支柱１６が伸びきってからも、支柱１６から離れてさらに降下を続ける。
【００４１】
そして、昇降部１２を上昇させる際に、昇降部１２の上昇に伴って昇降部１２が支柱１６を押圧することで支柱１６が縮み始めていき、埋込枠１１の昇降部収納部１９に昇降部１２を収納する。
【００４２】
このとき、昇降部１２が押圧を始めた位置で支柱１６は昇降部１２に連結状態となり、風の影響や昇降部のバランス等によって昇降部１２に回転力（回動力）が与えられたとしても昇降部１２を回転（回動）させず、ワイヤ部１４に捩れを生ずることがない。
【００４３】
本実施形態では、ワイヤ部１４を支柱１６内に収納し、支柱１６の下端部を昇降部１２から分離した。
よって、昇降部１２が支柱１６に連結された位置からワイヤ部１４の捩れを確実に抑制することができる。
【００４４】
（第４実施形態）
図７に示すように、本発明の第４実施形態である照明装置６０は、支柱１６の下端部を昇降部１２に固定せずに分離し、ワイヤ部１４を支柱１６の外側に配置した。
【００４５】
支柱１６は、最下位置の筒状体２６の下端部にワイヤガイド６１を設けている。ワイヤガイド６１はワイヤ部１４を挿通させるワイヤ挿通孔６２を有する板部材であって、筒状体２６の下端部に固定されている。
【００４６】
照明装置６０は、昇降部１２の降下時および上昇時にワイヤ部１４がワイヤガイド６１のワイヤ挿通孔６２に支持されるために、ワイヤ部１４の揺れを抑制する。
【００４７】
本実施形態では、支柱１６の下端部を昇降部１２から分離し、筒状体２６の下端部にワイヤガイド６１を設けた。
よって、昇降部１２が支柱１６に連結された位置からワイヤ部１４の捩れを確実に抑制することができるとともに、ワイヤガイド６１によってワイヤ部１４の揺れを抑制することができる。
【００４８】
なお、前記各実施形態で使用した支柱１６を構成する筒状体２６，３２の数は例示したものに限定するものではなく適宜変更が可能である。
【図面の簡単な説明】
【００４９】
【図１】本発明に係る第１実施形態の照明装置の一部破断正面図
【図２】本発明に係る第１実施形態の照明装置に適用した支柱の外観斜視図
【図３】本発明に係る第１実施形態の照明装置に適用した支柱の縦断面図
【図４】本発明に係る第１実施形態の照明装置に適用した支柱の変形例の外観斜視図
【図５】本発明に係る第２実施形態の照明装置の正面図
【図６】本発明に係る第３実施形態の照明装置の一部破断正面図
【図７】本発明に係る第４実施形態の照明装置の正面図
【符号の説明】
【００５０】
１０  照明装置
１１  埋込枠
１２  昇降部
１３  光源
１４  ワイヤ部
１５  リフタ部
１６  支柱
２６  筒状体
３２  筒状体
４０  照明装置
５０  照明装置
６０  照明装置
【図１】
2010003452.tif 000003
【図２】
2010003452.tif 000004
【図３】
2010003452.tif 000005
【図４】
2010003452.tif 000006
【図５】
2010003452.tif 000007
【図６】
2010003452.tif 000008
【図７】
2010003452.tif 000009